【事件の表示】
　特願２００７−１８００３５「文字入力装置およびテープ印刷装置」拒絶査定不服審判事件〔平成２１年　１月２２日出願公開、特開２００９−　１５７８１、請求項の数（４）〕について、次のとおり審決する。
【結　論】
　原査定を取り消す。
　本願の発明は、特許すべきものとする。
【理　由】
第１  手続の経緯
　本願は、平成１９年７月９日の出願であって、原審において平成２４年５月１１日付けで拒絶理由が通知され、同年７月９日付けで手続補正がされ、同年１０月１７日付けで拒絶理由が通知され、同年１２月２０日付けで手続補正がされ、平成２５年１月２８日付けで拒絶査定がされ、これに対し、同年４月３日に拒絶査定不服審判が請求されるとともに、同日付けで手続補正がされ、同年９月１３日付けで当審より審尋がなされ、同年１１月１４日付けで回答書が提出され、同年１２月１６日付けで拒絶理由が通知され、同年１２月２５日付けで手続補正がされたものである。
　
第２　本願発明
　本願の請求項１に係る発明は、平成２５年１２月２５日付けの手続補正で補正された特許請求の範囲の請求項１に記載された事項により特定される、以下のとおりのものである。
　
　「【請求項１】
　名前および住所のいずれか一方である入力内容に応じて設けられた複数の設定メニューの中から、１の設定メニューを選択設定するためのメニュー設定手段と、
　前記メニュー設定手段により設定された前記設定メニューに応じて、前記入力内容に応じて設けられた名前予測変換辞書および住所予測変換辞書の中から、１の予測変換辞書を選択設定する辞書設定手段と、
　前記メニュー設定手段により設定された前記設定メニューに応じて、前記入力内容に応じて設けられた入力領域を表示する入力領域表示手段と、
　表示した前記入力領域に入力された未確定文字列に基づいて、複数の予測変換候補を表示させる予測変換候補表示手段と、
を備え、
　前記名前予測変換辞書には、名前に関連する予測変換候補が登録され、
　前記住所予測変換辞書には、住所に関連する予測変換候補が登録され、
　前記予測変換候補表示手段は、設定された前記予測変換辞書に登録されていると共に当該予測変換辞書が対応する前記入力内容に関連する予測変換候補を表示させ、当該入力内容に関連のない予測変換候補の一切を表示させないことを特徴とする文字入力装置。」
（以下、本願の請求項１に係る発明を「本願発明」という。）
　
第３　原査定の理由の概要
　本願発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　   記
刊行物１：特開２００７−３４３６４号公報
刊行物２：特開２００３−２９６３２０号公報
刊行物３：特開２００３−２４４３０５号公報
刊行物４：特開２００４−１９９５５０号公報
　
第４　当審の判断
１．刊行物の記載事項
Ａ　原査定の拒絶の理由に主たる引用例として引用された特開２００４−１９９５５０号公報（刊行物４）には、図面とともに以下の事項が記載されている。
　
イ．「【０００１】
【発明の属する技術分野】
本発明は、テキストメッセージの作成、送受信および表示に関し、特にテキストコミュニケーションのためのテキストメッセージの動画化およびその表示を行うためのシステムおよび装置に関する。」（３頁） 
　
ロ．「【００４５】
図６により、図１の端末１００に採用された予測変換手法の具体例について説明する。今、図６（ａ）に示すように、ユーザが、端末１００の表示画面上のメール本文入力領域２１に、端末の入力操作部（テンキー）から文字「て」を入力したとする。画面上、この入力文字は強調表示（例えば反転表示）されている。このとき、この入力文字に該当する語句群が選択候補として選択候補表示欄２３にリスト表示される。この選択候補の語句群は、複数の辞書の検索結果として抽出されたものである。このときユーザは「デンワ」という語句を入力しようとしたとする。該当する語句「デンワ」は選択候補表示欄２３内に見あたらない。（なお、「て」の入力に対して「デンワ」が選択候補としてあげられる場合もありうるが、ここでは説明の都合上、「デンワ」が選択候補として含まれない場合を示している。）そこで、図６（ｂ）に示すように、ユーザは次に濁点をキー入力する。この時点までに入力された文字「で」から予測される入力語句群が選択候補表示欄２３にリスト表示される。この状態では３番目の選択候補として「デンワ」が表示されている。この状態で、ユーザが所定の操作、例えばジョグダイヤルによるカーソル２４の移動および「選択」操作を行うことにより、語句「デンワ」を選択すれば、図６（ｃ）に示すように、選択された語句「デンワ」が入力領域２１に表示される。なお、この状態では選択候補表示欄２３には、「デンワ」に続く可能性がある選択候補が表示されている。
【００４６】
このように予測変換手法を用いることにより、比較的少ないキー操作で文字入力が行える。一般に携帯電話機などでは単一のテンキーに複数の仮名文字が割り当てられている。例えば、キー「２」にカ行の５文字（かきくけこ）が割り当てられており、行中の後方の文字ほど、キーの入力回数が増加する。したがって、入力文字の個数が増加すれば、平均的な総キー入力回数は飛躍的に増大する。これに対して、上記のような予測変換手法によれば、キー入力回数を大幅に低減することができる。
【００４７】
予測変換には、そのための特別な辞書が用意され、所定のアルゴリズムに従って、予測検索が行われる。予測変換用の辞書は、ユーザの使用に伴って学習機能により、その内容が更新されていく。
【００４８】
従来の予測変換辞書のライブラリーは、ボキャブラリーの違いだけで、書体、文字の大きさや色、動き、背景イメージといった表現部分の情報はもっていなかった。
【００４９】
本実施の形態では、この予測変換辞書として、ユーザの感情や個性等を表すテイスト別の予測変換辞書をオプションで追加可能とするとともに、これらの異なる予測変換辞書の選択結果に応じて、異なるテイストを選択し、テキストメッセージの表示属性、特に動きを伴う異なる属性の選択を自動的に行う。
【００５０】
図７は、テイスト選択画面の一例を示す。ここでは、メニュー形式で、ラブラブモード、怒りモード、ハッピーモード、親父モード、お嬢様モード、ショックモード等の各種テイストを選択できるようになっている。これによって、使用されるオプションの予測変換辞書も変わる。このユーザインタフェースはメニュー形式（プルダウン、ポップアップ等を含む）に限るものではなく、ラジオボタン形式やアイコン指定形式等、任意の他の形式であってよい。
【００５１】
図８に、予測変換辞書の構成例を示す。予測変換辞書９０としては、オプションのテイストに関係なく共通に適用される共通辞書９１と、オプションで適用される辞書９２，９３，…がある。オプション辞書は通信ネットワークを介してサーバからダウンロードして追加することができる。テイストに関するオプション辞書は、図７で説明したようなユーザによるテイストの選択に応じて選択される。テイスト別の予測変換辞書の選択により、予測変換時には当該テイストに合致した語句が選択候補表示欄２３に表示されやすくなる。例えば、ラブラブモード辞書９２には、入力文字「あ」に対して、「愛」「愛してる」「I Love You」などの語句が割り当てられている。
【００５２】
図９に、予測変換辞書の使用時に、現在選択されているテイストを画面上でユーザが認識できるようにするための表示例を二つ示す。図９（ａ）の例では、現在実行中の処理のタイトル表示欄２０に、現在使用中のテイストを表す識別情報としてのアイコン２６を表示している。図９（ｂ）では、選択候補表示欄２３の背景に同様のアイコン２７をここでは分散して複数個表示している。必須ではないが、受信メールの表示時に背景のアイコンが所定の動きをする場合には、この選択候補表示欄２３内でも同様のアイコンの動きを行わせるようにしてもよい。また、受信メールの表示時にテイスト別に（または特定のテイストについて）異なる態様で文字自体に動きを与える場合には、選択候補表示欄２３内でも同様の文字の動きを行わせるようにしてもよい。例えば、怒りモードの場合に文字がピクピク小刻みに動くような動きを与えることができる。」（１０〜１１頁）
　
　上記刊行物４の記載及び図面並びにこの分野における技術常識を考慮すると、上記ロ．の【００４５】における「図６により、図１の端末１００に採用された予測変換手法の具体例について説明する。今、図６（ａ）に示すように、ユーザが、端末１００の表示画面上のメール本文入力領域２１に、端末の入力操作部（テンキー）から文字「て」を入力したとする。画面上、この入力文字は強調表示（例えば反転表示）されている。このとき、この入力文字に該当する語句群が選択候補として選択候補表示欄２３にリスト表示される。」との記載、及び図６によれば、端末（１００）は、メール本文入力領域（２１）に入力された文字に基づいて、複数の選択候補を表示させており、この機能を選択候補表示手段と称することは任意である。ここで、前述の入力された文字は、未確定文字列であることは明らかである。
　また、上記ロ．の【００５０】における「図７は、テイスト選択画面の一例を示す。ここでは、メニュー形式で、ラブラブモード、怒りモード、ハッピーモード、親父モード、お嬢様モード、ショックモード等の各種テイストを選択できるようになっている。これによって、使用されるオプションの予測変換辞書も変わる。」との記載、及び図７によれば、端末（１００）は、入力内容に応じて設けられた複数のテイストの中から、１のテイストを選択しており、この機能をテイスト選択手段と称することは任意である。
　また、上記ロ．の【００５１】における「図８に、予測変換辞書の構成例を示す。予測変換辞書９０としては、オプションのテイストに関係なく共通に適用される共通辞書９１と、オプションで適用される辞書９２，９３，…がある。オプション辞書は通信ネットワークを介してサーバからダウンロードして追加することができる。テイストに関するオプション辞書は、図７で説明したようなユーザによるテイストの選択に応じて選択される。テイスト別の予測変換辞書の選択により、予測変換時には当該テイストに合致した語句が選択候補表示欄２３に表示されやすくなる。例えば、ラブラブモード辞書９２には、入力文字「あ」に対して、「愛」「愛してる」「I Love You」などの語句が割り当てられている。」との記載、及び図８によれば、端末（１００）は、テイストに応じて、入力内容に応じて設けられたテイスト別の予測変換辞書の中から、１のテイスト別の予測変換辞書を選択しており、この機能を辞書選択手段と称することは任意である。ここで、テイスト別の予測変換辞書には、テイストに関連する予測変換候補が登録されていることは明らかである。
　また、前述の選択候補表示手段は、テイスト別の予測変換辞書を選択している場合、選択されたテイスト別の予測変換辞書に登録されていると共に当該テイスト別の予測変換辞書が対応する入力内容に関連する選択候補を表示させることができることは明らかである。
　
　したがって、上記刊行物４には、以下の発明（以下、「引用発明」という。）が記載されているものと認められる。
　
　「入力内容に応じて設けられた複数のテイストの中から、１のテイストを選択するためのテイスト選択手段と、
　前記テイスト選択手段により選択された前記テイストに応じて、前記入力内容に応じて設けられたテイスト別の予測変換辞書の中から、１のテイスト別の予測変換辞書を選択する辞書選択手段と、
　メール本文入力領域（２１）に入力された未確定文字列に基づいて、複数の選択候補を表示させる選択候補表示手段と、
を備え、
　前記テイスト別の予測変換辞書には、テイストに関連する予測変換候補が登録され、
　前記選択候補表示手段は、選択された前記テイスト別の予測変換辞書に登録されていると共に当該テイスト別の予測変換辞書が対応する入力内容に関連する選択候補を表示させる端末（１００）。」
　
Ｂ　原査定の拒絶の理由に引用された特開２００７−３４３６４号公報（刊行物１）には、図面とともに以下の事項が記載されている。 
　
ハ．「【技術分野】
【０００１】
　本発明は、画像データを形成し、当該画像データに応じた画像をテープに印刷するテープ印刷システム、テープ印刷装置及びその制御方法に関する。」（３〜４頁） 
　
ニ．「【００４５】
　図４（ａ）〜（ｃ）及び図５（ａ）〜（ｄ）は、本実施形態のテープ印刷装置２の動作を説明する説明図であり、テープ印刷装置２の表示部１２に表示される画面を示している。
　テープ印刷装置２に電源を投入すると、制御部２０は、制御プログラムに従った動作を開始し、表示部１２に図４（ａ）に示すような編集画面Ｐ１を表示させる。編集画面Ｐ１は、テープの外形形状を数値で表示するテープ情報表示領域Ｐａ、入力された文字等を表示する入力文字表示領域Ｐｂ、入力文字を反映した印刷イメージを表示する印刷イメージ表示領域Ｐｃの３つの領域で構成されている。
【００４６】
　テープ情報表示領域Ｐａには、前述した識別センサで識別されたテープＴの幅（例えば、１２ｍｍ）が表示されるとともに、入力した文字数等に応じたテープ長さが表示される。入力文字表示領域Ｐｂには、その左端に、入力対象が１行目であることを表す行番号Ｌが反転表示されており、カーソルキー（「↑」又は「↓」）を操作することにより、他の行への文字入力を行うこともできる。行番号Ｌの右隣には、文字が入力される位置を表すカーソルＣが点滅して表示される。ユーザがキーボード１１を用いて文字入力を行うと、制御部２０は、ＣＧＲＯＭ２８から各入力文字のフォントデータを読み出して入力文字表示領域Ｐｂに当該文字を表示させるとともに、前記フォントデータ、及び属性情報（初期的に設定されている属性情報や、設定キーを用いて設定された属性情報等）に基づいて画像データ（印刷イメージ）を形成する。その後、制御部２０は、当該印刷イメージを適宜縮小させて、印刷イメージ表示領域Ｐｃに表示させる。なお、図４（ａ）に示すように、何れの文字も入力されていない状態では、テープ情報表示領域Ｐａに表示されるテープ長さは０となり、印刷イメージ表示領域Ｐｃには、必然的に付加される余白部分のみが表示される。
【００４７】
　この状態で、既製のレイアウトを読み出すためのレイアウトキーが操作されると、制御部２０は、表示駆動部２１に指示をして、図４（ｂ）に示すような選択画面Ｐ２を表示部１２に表示させる。選択画面Ｐ２は、タイトル表示領域Ｐｄと、選択可能な項目名を表示するメニュー表示領域Ｐｅと、各種メッセージを表示するメッセージ表示領域Ｐｆと、当該状態で操作可能なキーを表すキー表示領域Ｐｇとからなっている。
【００４８】
　図４（ｂ）に示すように、本実施形態のメニュー表示領域Ｐｅには、テープ印刷装置２のＲＯＭ２６に記憶されているレイアウトデータを読み出すための「レイアウト」、パーソナルコンピュータ３の大容量記憶部３１に記憶されているレイアウトデータを読み出すための「ＰＣレイアウト」、同じく大容量記憶部３１に記憶されている辞書ファイルを読み出すための「ＰＣ辞書」の３項目を表示する。制御部２０は、そのうちの１つの項目を仮選択状態として反転表示させるとともに、ユーザによりカーソルキー（「↑」又は「↓」）を操作された場合には、その方向に応じて仮選択の項目を変更する。また、選択キーが操作された場合には、制御部２０は、仮選択されている項目を本選択とし、取消キーが操作された場合には、レイアウトを読み出す処理を中止して、編集画面Ｐ１の表示に戻る。
【００４９】
　選択画面Ｐ２において、「ＰＣレイアウト」が選択（本選択）された場合には、制御部２０は、通信部２４を介してパーソナルコンピュータ３との通信を開始するとともに、図４（ｃ）に示すように、その旨を表すメッセージをメッセージ表示領域Ｐｆに記したメッセージ画面Ｐ３を表示する。その後、制御部２０は、パーソナルコンピュータ３の制御部３０に対して、大容量記憶部３１に記憶されているレイアウトファイルの転送を要求する。パーソナルコンピュータ３の制御部３０が、前記要求に応じてレイアウトファイルをＩ／Ｆ部３２から出力すると、制御部２０は、当該レイアウトファイルを、通信部２４を介して取得してＲＡＭ２７に一時記憶させる。なお、途中で取消キーが操作された場合には、レイアウトファイルの取得を中止して、選択画面Ｐ２の表示に戻る。」（１０〜１１頁）
　
ホ．「【００５８】
　なお、レイアウトファイルや辞書ファイルを取得する前に、用途の選択や原語の入力を行う場合には、パーソナルコンピュータ３から分類項目名（用途名や利用可能な辞書名等）の一覧を表すリストデータを事前に取得して、当該リストデータに基づいて選択画面Ｐ４〜Ｐ６におけるメニュー表示を行うようにしてもよい。」（１２頁）
　
　上記刊行物１の記載及び図面並びにこの分野における技術常識を考慮すると、上記ハ．、ホ．の【００５８】における「パーソナルコンピュータ３から分類項目名（用途名や利用可能な辞書名等）の一覧を表すリストデータを事前に取得して、当該リストデータに基づいて選択画面Ｐ４〜Ｐ６におけるメニュー表示を行うようにしてもよい。」との記載によれば、テープ印刷装置は、複数の辞書の中から、１の辞書を選択することができる。
　
　したがって、上記刊行物１には、以下の発明（以下、「技術事項１」という。）が記載されているものと認められる。
　
　「複数の辞書の中から、１の辞書を選択するテープ印刷装置。」
　
Ｃ　原査定の拒絶の理由に引用された特開２００３−２９６３２０号公報（刊行物２）には、図面とともに以下の事項が記載されている。 
　
ヘ．「【０００１】
【発明の属する技術分野】本発明は、携帯電話機等に具備され、電子メール等の文章作成などに使用される文字変換装置およびその方法に関する。
【０００２】
【従来の技術】近年、携帯電話機に電子メール機能が具備されるようになり、携帯電話機による電子メールがコミュニケーション手段の一つとして普及してきている。この電子メールの本文を作成する際には、携帯電話機のテンキーやファンクションキーを操作して文字入力を行う。しかし、一般的に、この限定されたキーを用いる文字入力操作においては、パーソナルコンピュータ等のフルキーボードによる操作に比べて高速な文字入力が困難である。これに対処するために、使用者が入力した文字列を所望の変換候補文字列に変換する文字変換装置において、その変換効率を向上させることが望まれている。
【０００３】この変換効率を向上させるために、従来の文字変換装置は、入力された文字列とこの文字列に予め関連付けられている変換候補文字列とを記憶する単語辞書を具備し、入力された文字列に基づいて単語辞書を検索し、この検索結果から得た複数の変換候補文字列を、使用者の過去の使用頻度に応じて優先度付けし出力する。これにより、使用頻度の高い変換候補文字列が優先的に、携帯電話機の選択候補表示画面に表示されるので、使用者は文字変換操作を能率的に行うことが可能となり、この結果として高速な文字入力を実現することができる。」（２頁２欄） 
　
　上記刊行物２の記載及び図面並びにこの分野における技術常識を考慮すると、上記ヘ．の【０００３】における「文字変換装置は、入力された文字列とこの文字列に予め関連付けられている変換候補文字列とを記憶する単語辞書を具備し、入力された文字列に基づいて単語辞書を検索し、この検索結果から得た複数の変換候補文字列を、使用者の過去の使用頻度に応じて優先度付けし出力する。」との記載によれば、文字変換装置は、予測変換候補の選択履歴に基づいて、複数の予測変換候補の表示に関する優先順位を変更している。
　
　したがって、上記刊行物２には、以下の発明（以下、「技術事項２」という。）が記載されているものと認められる。
　
　「予測変換候補の選択履歴に基づいて、複数の予測変換候補の表示に関する優先順位を変更する文字変換装置。」
　
Ｄ　原査定の拒絶の理由に引用された特開２００３−２４４３０５号公報（刊行物３）には、図面とともに以下の事項が記載されている。 
　
ト．「【０００１】
【発明の属する技術分野】本発明は、携帯電話機の文字入力装置とその入力方法に関わり、特に、短時間に能率良く文字の入力を可能にした携帯電話機の文字入力装置とその入力方法に関する。」（２頁２欄） 
　
チ．「【００１１】次に、本発明の動作を図２のフローチャートと、図３〜図５を用いて更に詳細に説明する。
【００１２】キーボード１より未確定文字列７を入力すると（ステップＳ１）、入力した未確定文字列７を表示モニタ２上に表示する（ステップＳ２）。ここで、かな漢字変換が要求されると、検索手段５は、未確定文字列７の内容から、かな漢字辞書３を用いて、かな漢字変換候補８を一覧表示する（ステップＳ３）（以上、図３参照）。
【００１３】次に、図４に示したように、表示されたかな漢字変換候補８の中から所定の文字列が選択されると、その内容を最新の確定文字列９として表示モニタ２へ表示し（ステップＳ４）、同時に、直前の確定文字列６と最新の確定文字列９との連続性を入力履歴辞書４へ記憶させる（ステップＳ５）。更に、検索手段５は、最新の確定文字列９との連続性がある文字列を入力履歴辞書４から検索し（ステップＳ６）、検索結果を入力履歴候補１０として一覧表示する（ステップＳ７）。
【００１４】そして、図５に示したように、この入力履歴候補１０から所定の文字列を選択すると、最新の確定文字列９を直前の確定文字列６’に置き換え、入力履歴候補１０から選択された文字列を最新の確定文字列９’として表示モニタ２に表示する（ステップＳ８）。ここで、更にステップＳ５と同様に、直前の確定文字列６’と最新の確定文字列９’との連続性を入力履歴辞書４へ追加記憶させ（ステップＳ５）、更に、検索手段５は、入力履歴辞書４から最新の確定文字列９’と関連づけられた入力履歴候補１０’を一覧表示する（ステップＳ６、７）。なお、ステップＳ７において、入力履歴辞書４内に漢字文字列が存在しない場合には、ステップＳ１へ戻り、キーボード１からの文字列の入力を可能とする。」（３頁４欄）
　
　上記刊行物３の記載及び図面並びにこの分野における技術常識を考慮すると、上記ト．、チ．の【００１３】における「表示されたかな漢字変換候補８の中から所定の文字列が選択されると、その内容を最新の確定文字列９として表示モニタ２へ表示し（ステップＳ４）・・・検索手段５は、最新の確定文字列９との連続性がある文字列を入力履歴辞書４から検索し（ステップＳ６）、検索結果を入力履歴候補１０として一覧表示する（ステップＳ７）。」との記載、及び図３ないし５によれば、携帯電話機の文字入力装置は、確定後の確定文字列に繋がり得る文字列候補を、繋がり予測候補として表示させている。
　
　したがって、上記刊行物３には、以下の発明（以下、「技術事項３」という。）が記載されているものと認められる。
　
　「確定後の確定文字列に繋がり得る文字列候補を、繋がり予測候補として表示させる携帯電話機の文字入力装置。」
　
２．対比
　本願発明と引用発明とを対比する。 
ａ．引用発明の「テイスト」は、上記刊行物４の上記ロ．の【００５０】における「図７は、テイスト選択画面の一例を示す。ここでは、メニュー形式で、ラブラブモード、怒りモード、ハッピーモード、親父モード、お嬢様モード、ショックモード等の各種テイストを選択できるようになっている。」との記載、及び図７によれば、メニュー形式で選択し設定するものであるから、「設定メニュー」ということができる。
ｂ．引用発明の「選択」は、選択して設定するから、「選択設定」ということができる。
ｃ．引用発明の「テイスト選択手段」は、上記ａ．及びｂ．の対比を考慮すれば、「メニュー設定手段」ということができる。
ｄ．引用発明の「テイスト別の予測変換辞書」と、本願発明の「名前予測変換辞書および住所予測変換辞書」とは、いずれも、「特定の予測変換辞書」という点で一致する。
ｅ．引用発明の「辞書選択手段」は、上記ｂ．の対比を考慮すれば、「辞書設定手段」ということができる。
ｆ．引用発明の「メール本文入力領域（２１）」は、本願発明の「入力領域」に相当する。
ｇ．引用発明の「選択候補」は、予測変換辞書を用いて変換候補を表示するから、「予測変換候補」ということができる。
ｈ．引用発明の「選択候補表示手段」は、上記ｇ．の対比を考慮すれば、「予測変換候補表示手段」ということができる。
ｉ．引用発明の「テイスト」と、本願発明の「名前」及び「住所」とは、いずれも、「特定の内容」という点で一致する。
ｊ．引用発明の「端末（１００）」は、文字を入力する機能を有する装置であるから、「文字入力装置」ということができる。
　
 　したがって、本願発明と引用発明は、以下の点で一致ないし相違している。 
　
（一致点） 
　「入力内容に応じて設けられた複数の設定メニューの中から、１の設定メニューを選択設定するためのメニュー設定手段と、
　前記メニュー設定手段により設定された前記設定メニューに応じて、前記入力内容に応じて設けられた特定の予測変換辞書の中から、１の予測変換辞書を選択設定する辞書設定手段と、
　入力領域に入力された未確定文字列に基づいて、複数の予測変換候補を表示させる予測変換候補表示手段と、
を備え、
　前記特定の予測変換辞書には、特定の内容に関連する予測変換候補が登録され、
　前記予測変換候補表示手段は、設定された前記特定の予測変換辞書に登録されていると共に当該特定の予測変換辞書が対応する前記入力内容に関連する予測変換候補を表示させる文字入力装置。」
　
（相違点１）
　「入力内容」に関し、
　本願発明は、「名前および住所のいずれか一方である」のに対し、引用発明は、当該「名前および住所のいずれか一方である」との特定がない点。
　
（相違点２）
　「特定の予測変換辞書」に関し、
　本願発明は、「名前予測変換辞書および住所予測変換辞書」であるのに対し、引用発明は、「テイスト別の予測変換辞書」である点。
　
（相違点３）
　本願発明は、「前記メニュー設定手段により設定された前記設定メニューに応じて、前記入力内容に応じて設けられた入力領域を表示する入力領域表示手段」を備えるのに対し、引用発明は、その様な構成を備えない点。
　
（相違点４）
　「入力領域」に関し、
　本願発明は、「表示した前記」入力領域であるのに対し、引用発明は、当該「表示した前記」との特定がない点。
　
（相違点５）
　「前記特定の予測変換辞書には、特定の内容に関連する予測変換候補が登録され」に関し、
　本願発明は、「前記名前予測変換辞書には、名前に関連する予測変換候補が登録され、前記住所予測変換辞書には、住所に関連する予測変換候補が登録され」ているのに対し、引用発明は、「前記テイスト別の予測変換辞書には、テイストに関連する予測変換候補が登録され」ている点。
　
（相違点６）
　「前記予測変換候補表示手段は、設定された前記特定の予測変換辞書に登録されていると共に当該特定の予測変換辞書が対応する前記入力内容に関連する予測変換候補を表示させる」に関し、
　本願発明は、「当該入力内容に関連のない予測変換候補の一切を表示させない」のに対し、引用発明は、当該「当該入力内容に関連のない予測変換候補の一切を表示させない」との特定がない点。
　
３．判断
（１）請求項１について
　そこで、まず、上記相違点１〜５について検討する。
　引用発明及び技術事項１ないし３は、そもそも、入力内容について、名前および住所のいずれか一方にすることを前提とし、専用の名前予測変換辞書および住所予測変換辞書を備えることを開示していない。すなわち、引用発明及び技術事項１ないし３は、上記相違点１ないし５における本願発明の「名前および住所のいずれか一方である」点、「名前予測変換辞書および住所予測変換辞書」を用いる点、「前記メニュー設定手段により設定された前記設定メニューに応じて、前記入力内容に応じて設けられた入力領域を表示する入力領域表示手段」を備える点、「表示した前記」入力領域とする点、「前記名前予測変換辞書には、名前に関連する予測変換候補が登録され、前記住所予測変換辞書には、住所に関連する予測変換候補が登録され」ている点について開示も示唆もしていない。
　加えて、上記相違点６について、引用発明の「選択候補表示手段」（予測変換候補表示手段）は、上記刊行物４の上記ロ．の【００５１】における「図８に、予測変換辞書の構成例を示す。予測変換辞書９０としては、オプションのテイストに関係なく共通に適用される共通辞書９１と、オプションで適用される辞書９２，９３，…がある。」との記載を参酌すれば、通常の使用形態では、テイストに関係なく共通に適用される共通辞書（９１）から選択候補（予測変換候補）が表示される可能性を完全には排除できない。そうすると、本願発明のように「当該入力内容に関連のない予測変換候補の一切を表示させない」という本願発明の発明特定事項を導き出すことはできない。
　そして、本願発明は、上記相違点１ないし６における本願発明の各構成を備えることにより、入力状況に応じて、簡単に予測変換候補を選択できるという作用効果を奏するものである。
　したがって、本願発明は、引用発明及び技術事項１ないし３に基いて、当業者が容易に発明をすることができたとはいえない。
　
（２）請求項２ないし４について
　請求項２ないし４は、請求項１に従属する請求項であり、本願発明の発明特定事項をすべて含みさらに発明特定事項を追加して限定したものであるから、上記（１）と同じ理由により、引用発明及び技術事項１ないし３に基づいて当業者が容易に発明をすることができたとはいえない。
　
第５　むすび
　以上のとおり、本願発明は、刊行物１ないし４に記載された発明に基いて、当業者が容易に発明をすることができたものとすることができないから、原査定の理由によっては、本願を拒絶することはできない。
　また、他に本願を拒絶すべき理由を発見しない。
　よって、結論のとおり審決する。